(57)【要約】【課題】ディスクのディフェクトや伝達系の雑音等の外乱に対する耐性に優れ、安定したセグメント周期ＰＬＬクロックを生成できる光ディスク装置を提供する。【解決手段】セグメント周期ＰＬＬ回路２５は、ウォブルＰＬＬ回路２２内のＶＣＯ２９から出力されたウォブル逓倍信号を分周してセグメント周期ＰＬＬクロックを生成する。この際、シンクパターン検出信号とセグメント周期ＰＬＬクロックとの位相差に応じて分周比を制御することでセグメント周期ＰＬＬクロックの位相を制御する。さらに、同期化回路２６は、セグメント周期ＰＬＬクロックをウォブルＰＬＬ回路２２からのウォブルＰＬＬクロックに同期化させて最終的なセグメント周期ＰＬＬクロックを生成する。【選択図】図２
2005216403.tif 000002
【特許請求の範囲】
【請求項１】
ウォブル信号からウォブルＰＬＬクロックを生成するウォブルＰＬＬクロック生成手段と、
前記ウォブル信号から固定長のブロックの先頭の出現を検出する検出手段と、
前記検出手段の検出信号に基づきブロック周期ＰＬＬクロックを生成するブロック周期ＰＬＬクロック生成手段と、
前記ブロック周期ＰＬＬクロック生成手段により生成された前記ブロック周期ＰＬＬクロックを前記ウォブルＰＬＬクロック生成手段により生成された前記ウォブルＰＬＬクロックに同期化させる同期化手段と
を具備することを特徴とする光ディスク装置。
【請求項２】
前記検出手段は、前記ウォブルＰＬＬクロック生成手段により生成された前記ウォブルＰＬＬクロックを基準として前記ウォブル信号の位相を検波し、この位相検波結果に基づいて前記ブロックの先頭の出現を検出する
ことを特徴とする請求項１記載の光ディスク装置。
【請求項３】
前記ウォブルＰＬＬクロック生成手段は、
前記ウォブル信号と前記ウォブルＰＬＬクロックとの位相差に応じた、前記ウォブル信号の逓倍周波数信号を発振する発振器と、
前記発振器より出力された逓倍周波数信号を分周して前記ウォブルＰＬＬクロックとして出力する第１の分周器とを備え、
前記ブロック周期ＰＬＬクロック生成手段は、
前記発振器の出力を分周して前記ブロック周期ＰＬＬクロックとして出力する第２の分周器と、
前記検出手段の検出信号と前記ブロック周期ＰＬＬクロックとの位相差に基づいて、前記第２の分周器の分周比を制御する手段とを具備する
ことを特徴とする請求項１記載の光ディスク装置。
【請求項４】
前記ブロック周期ＰＬＬクロック生成手段は、
周波数信号を発振する発振器と、
前記検出手段の検出信号と前記ブロック周期ＰＬＬクロックとの位相差に基づいて、前記発振器の発振周波数を制御する手段とを具備する
ことを特徴とする請求項１記載の光ディスク装置。
【請求項５】
前記ウォブルＰＬＬクロック生成手段により生成された前記ウォブルＰＬＬクロックを逓倍する逓倍回路をさらに有し、
前記ブロック周期ＰＬＬクロック生成手段は、
前記逓倍回路の出力を分周して前記ブロック周期ＰＬＬクロックとして出力する第２の分周器と、
前記検出手段の検出信号と前記ブロック周期ＰＬＬクロックとの位相差に基づいて、前記第２の分周器の分周比を制御する手段とを具備する
ことを特徴とする請求項１記載の光ディスク装置。
【請求項６】
ウォブル信号からウォブルＰＬＬクロックを生成するステップと、
前記ウォブル信号から固定長のブロックの先頭の出現を検出するステップと、
この検出結果に基づいてブロック周期ＰＬＬクロックを生成するステップと、
この生成されたブロック周期ＰＬＬクロックを前記ウォブルＰＬＬクロックに同期化させて最終的なブロック周期ＰＬＬクロックを出力するステップと
を有することを特徴とする光ディスク装置のブロック周期検出方法。
【請求項７】
前記固定長のブロックの先頭の出現を検出するために、前記生成されたウォブルＰＬＬクロックを基準として前記ウォブル信号の位相を検波し、この位相検波結果に基づいて前記ブロックの先頭の出現を検出する
ことを特徴とする請求項６に記載の光ディスク装置のブロック周期検出方法。
【請求項８】
前記ウォブル信号から前記ウォブルＰＬＬクロックを生成するために、前記ウォブル信号の逓倍周波数信号を発振して、この逓倍周波数信号を分周して前記ウォブルＰＬＬクロックとして出力し、
前記ブロック周期ＰＬＬクロックを生成するために、前記逓倍周波数信号を分周して前記ブロック周期ＰＬＬクロックとして出力するとともに、前記ブロックの先頭出現の検出信号と前記ブロック周期ＰＬＬクロックとの位相差に基づいて前記分周の分周比を制御する
ことを特徴とする請求項６に記載の光ディスク装置のブロック周期検出方法。
【請求項９】
前記ブロック周期ＰＬＬクロックを生成するために、周波数信号を発振する発振器を設けておき、前記ブロックの先頭出現の検出信号と前記ブロック周期ＰＬＬクロックとの位相差に基づいて、前記発振器の発振周波数を制御する
ことを特徴とする請求項６に記載の光ディスク装置のブロック周期検出方法。
【請求項１０】
前記ブロック周期ＰＬＬクロックを生成するために、前記ウォブルＰＬＬクロックを逓倍する逓倍回路を設けておき、この逓倍回路の出力を分周して前記ブロック周期ＰＬＬクロックを生成し、前記ブロックの先頭出現の検出信号と前記ブロック周期ＰＬＬクロックとの位相差に基づいて、前記分周の分周比を制御する
ことを特徴とする請求項６に記載の光ディスク装置のブロック周期検出方法。
【発明の詳細な説明】
【技術分野】
【０００１】
本発明は、書き換え型もしくは追記型の光ディスクに対する記録再生を行う光ディスク装置と、それらの光ディスクに刻まれたウォブルドグルーブから固定長ブロックの周期ＰＬＬクロックを生成する方法に関する。
【背景技術】
【０００２】
たとえば、次世代光ディスク規格の書き換え型ディスクなどに代表される高密度書き換え型のディスクでは、プリグルーブのウォブルに位相変調を掛けることで、一定クロック間隔に出現するシンクパターンとこれに続くデータ（物理アドレス）のコーディングを実現している。シンクパターンには、他のデータには現れることのないユニークなパターンが採用され、このユニークパターンを検出してシンクの到来を検出することとされている。
【０００３】
これに関連する従来技術としては、シンクパターンを構成するすべてのビット列について、基準のシンクパターンとのマッチングを行って、すべてのビット列が基準のシンクパターンと一致したならシンクの到来を検出するというものがある（たとえば、特許文献１参照）。
【特許文献１】特開２００２−１６３８６８号公報
【０００４】
光ディスク装置では、検出されたシンクパターンから、固定長のブロック（セグメント）の周期ＰＬＬクロックを生成して、これをＲＦ信号処理系などに供給している。
【０００５】
ブロック周期ＰＬＬクロックは、ウォブルＰＬＬクロックをセグメント周期相当に分周して生成することが可能である。この際、ブロックのシンクパターンの検出信号により、ブロック周期ＰＬＬクロックの位相をリセットしていた。
【発明の開示】
【発明が解決しようとする課題】
【０００６】
しかしながら、上記のブロック周期ＰＬＬクロックの生成方法では、ディスクのディフェクトや伝達系の雑音などの外乱によるシンクパターン検出誤りの影響がブロック周期ＰＬＬクロックの位相に直接響き、位相スリップを生じさせてしまうという問題があった。
【０００７】
本発明はこのような事情を鑑みて、ディスクのディフェクトや伝達系の雑音等の外乱に対する耐性に優れ、安定したブロック周期ＰＬＬクロックを生成することのできる光ディスク装置およびブロック周期検出方法を提供することを目的としている。
【課題を解決するための手段】
【０００８】
本発明の光ディスク装置は、上記課題を解決するために、ウォブル信号からウォブルＰＬＬクロックを生成するウォブルＰＬＬクロック生成手段と、前記ウォブル信号から固定長のブロックの先頭の出現を検出する検出手段と、前記検出手段の検出信号に基づきブロック周期ＰＬＬクロックを生成するブロック周期ＰＬＬクロック生成手段と、前記ブロック周期ＰＬＬクロック生成手段により生成された前記ブロック周期ＰＬＬクロックを前記ウォブルＰＬＬクロック生成手段により生成された前記ウォブルＰＬＬクロックに同期化させる同期化手段とを具備する。
【０００９】
本発明において、ブロック周期ＰＬＬクロック生成手段では、ウォブルＰＬＬクロックを分周した信号に位相が必ずしも一致しないブロック周期ＰＬＬクロックの生成が行われ、このブロック周期ＰＬＬクロックをウォブルＰＬＬクロックに同期化させたものを最終的なブロック周期ＰＬＬクロックとして出力する。したがって、ディスクのディフェクトや伝達系の雑音等の外乱によるブロック周期ＰＬＬクロックの位相の揺れがウォブル１クロックの幅より小さい範囲ならば、その揺れは除去され、ウォブルＰＬＬクロックに同期した安定な位相のセグメント周期ＰＬＬクロックが得られる。
【００１０】
また、本発明の光ディスク装置において、前記検出手段は、前記ウォブルＰＬＬクロック生成手段により生成された前記ウォブルＰＬＬクロックを基準として前記ウォブル信号の位相を検出し、この位相検出結果に基づいて、ブロックの先頭の出現を検出するものであってよい。
【００１１】
さらに、本発明の光ディスク装置において、前記ウォブルＰＬＬクロック生成手段は、前記ウォブル信号と前記ウォブルＰＬＬクロックとの位相差に応じた、前記ウォブル信号の逓倍周波数信号を発振する発振器と、前記発振器より出力された逓倍周波数信号を分周して前記ウォブルＰＬＬクロックとして出力する第１の分周器とを備え、前記ブロック周期ＰＬＬクロック生成手段は、前記発振器の出力を分周して前記ブロック周期ＰＬＬクロックとして出力する第２の分周器と、前記検出手段の検出信号と前記ブロック周期ＰＬＬクロックとの位相差に基づいて、前記第２の分周器の分周比を制御する手段とを具備して構成されるものでもよい。
【００１２】
この発明では、ブロック周期ＰＬＬクロック生成手段は、ウォブル信号の逓倍周波数信号を発振する発振器の出力を第２の分周器で分周してブロック周期ＰＬＬクロックとして出力する。その際、ブロックの先頭の出現を検出する検出手段の検出信号とブロック周期ＰＬＬクロックとの位相差に基づいて第２の分周器の分周比を制御して、ブロック周期ＰＬＬクロックの位相を調整する。したがって、ウォブルＰＬＬクロックの周期より細かい単位でブロック周期ＰＬＬクロックの位相を調整することができ、外乱に対して、ブロック周期ＰＬＬクロックの位相が大きく揺れて同期外れが生じることを回避できる。
【００１３】
さらに、本発明の光ディスク装置において、前記ブロック周期ＰＬＬクロック生成手段は、周波数信号を発振する発振器と、前記検出手段の検出信号と前記ブロック周期ＰＬＬクロックとの位相差に基づいて、前記発振器の発振周波数を制御する手段とを具備して構成されるものでもよい。
【００１４】
さらに、本発明の光ディスク装置は、前記ウォブルＰＬＬクロック生成手段により生成された前記ウォブルＰＬＬクロックを逓倍する逓倍回路をさらに有し、前記ブロック周期ＰＬＬクロック生成手段は、前記逓倍回路の出力を分周して前記ブロック周期ＰＬＬクロックとして出力する第２の分周器と、前記検出手段の検出信号と前記ブロック周期ＰＬＬクロックとの位相差に基づいて、前記第２の分周器の分周比を制御する手段とを具備して構成されるものであってもよい。
【発明の効果】
【００１５】
本発明の光ディスク装置およびブロック周期検出方法によれば、ディスクのディフェクトや伝達系の雑音等の外乱に対する耐性が向上し、安定したブロック周期ＰＬＬクロックを生成することができる、という優れた効果を奏し得る。
【発明を実施するための最良の形態】
【００１６】
以下、本発明の実施するための形態を図面に基づいて説明する。
【００１７】
図１は、本発明の一実施形態にかかる光ディスク装置１００の全体の構成を図である。  同図において、この実施の形態である光ディスク装置１００は、全体の動作を制御するシステム制御部１と、このシステム制御部１の制御用のプログラムや各種パラメータなどが固定的に格納されたＲＯＭ２と、システム制御部１の制御用の作業領域などとして用いられるＲＡＭ３とを有している。
【００１８】
光ディスクＤは、スピンドルモータ４によって駆動される。スピンドルモータ４はサーボコントローラ１１によって回転速度の制御が行われる。光ディスクＤに対する情報の書き込み及び読み出しは、光ディスクＤの半径方向に移送自在なピックアップ６によって行われる。ピックアップ６は、レーザを出射するレーザダイオード７と、レーザダイオード７からの出射レーザを光ディスクＤの記録面に集光し、かつ光ディスクＤの記録面からの反射光を４分割フォトディテクなどからなる光検出器８に導く光学系９とを備えて構成されている。
【００１９】
また、この光ディスク装置１００は、トラッキング、フォーカシング、ディスク回転速度などの各種サーボのための処理と制御を行うサーボコントローラ１１と、サーボコントローラ１１の制御の下でピックアップ６の光学系９における対物レンズ１０などを駆動するアクチュエータドライバ１２を有している。
【００２０】
ピックアップ６の光検出器８の出力はプリアンプ１３に送られる。プリアンプ１３で後段の処理に適したレベルに増幅されたＲＦ信号はＲＦ信号処理部１４に供給されるとともに、光検出器８の４分割フォトディテクタの各出力はウォブルＰＬＬ・アドレス抽出回路１５に出力される。ＲＦ信号処理部１４は、取り込んだＲＦ信号を二値化し、光ディスクＤに記録しやすいかたちに変調された信号を生成してデータ処理部１６に供給する。
【００２１】
データ処理部１６は、外部から与えられるデータを光ディスクＤに記録しやすい形式の信号に変調したり、ＲＦ信号処理部１４より供給された信号の復調、エラー訂正、データの圧縮／伸長などを行って再生データを得る。ＲＡＭ１７は、データ処理部１６の再生データおよびこれから光ディスクＤに記録する変調前のデータなどが一時的に格納されるメモリである。Ｉ／Ｆ１８は、上位装置との間でデータの入出力を行うためのインターフェースである。
【００２２】
ウォブルＰＬＬ・セグメント周期検出回路１５は、プリグループのウォブル信号を検出して、サーボコントローラ１１やデータ処理部１６の動作用の基準クロックとして使用されるウォブルＰＬＬクロックを生成するとともに、ウォブルによってコーディングされたアドレス情報の一つの単位であるセグメントの周期に同期したＰＬＬクロックを生成するための回路である。
【００２３】
図２は、このウォブルＰＬＬ・セグメント周期検出回路１５の構成を示す図である。
【００２４】
同図に示すように、ウォブルＰＬＬ・セグメント周期検出回路１５は、プッシュプル信号生成回路２１、ウォブルＰＬＬ回路２２、ウォブル位相検波回路２３、シンクパターン検出回路２４、セグメント周期ＰＬＬ回路２５、および同期化回路２６から構成されている。
【００２５】
プッシュプル信号生成回路２１は、プリアンプ１３を通して増幅された光検出器８の４分割フォトディテクタの個々の出力から、ラジアル半面ずつの差信号を求めたものをプッシュプル信号（ウォブル信号）として生成する回路である。
【００２６】
ウォブルＰＬＬ回路２２は、プッシュプル信号生成回路２１により生成されたウォブル信号からウォブルＰＬＬクロックを生成する回路である。このウォブルＰＬＬ回路２２は、ウォブル信号とＶＣＯ(Voltage Control 0scillator)２９の発振出力信号を分周器３０にて分周した信号との位相を比較する位相比較器２７と、位相比較器２７からの位相差信号のループ補償を行うループ補償回路２８と、ループ補償回路２８の出力位相差に応じた周波数信号を発振するＶＣＯ２９と、ＶＣＯ２９の出力を分周する分周器３０とで構成されている。
【００２７】
ここで、ＶＣＯ２９からはウォブル信号の何倍かの周波数の信号（ウォブル逓倍信号）が発振され、このウォブル逓倍信号は分周器３０にて分周されてウォブルＰＬＬクロックとして出力されるようになっている。すなわち、ＶＣＯ２９からはウォブル信号に対して或る決まった倍率の周波数をもち、かつウォブル信号の周波数の変化に比例追従する信号が出力される。
【００２８】
ウォブル位相検波回路２３は、ウォブルＰＬＬクロックを基準とするウォブル信号の位相を検出するものである。このウォブル位相検波回路２３は、具体的には、入力されたウォブル信号と、ウォブルＰＬＬ回路２２にて生成されたウォブルＰＬＬクロックとのウォブルＰＬＬクロック１波長ごとの位相相関値を算出する。位相相関値は、ウォブルＰＬＬクロック１波長ごとに、ウォブルＰＬＬクロックと位相がどれだけ合っているかを示す値である。さらに具体的には、この位相相関値はウォブル信号とウォブルＰＬＬクロックとを乗算し、乗算結果を積分することなどによって算出される。その際の乗算は、たとえば、ウォブル信号をウォブル周波数のたとえば１６倍の周波数でサンプリング、量子化してディジタル化し、これをウォブルＰＬＬクロックと乗算することなどによって行われる。積分はウォブルＰＬＬクロックの１波長区間の単位で行われる。
【００２９】
シンクパターン検出回路２４は、ウォブル位相検波回路２３の検波結果からシンクパターン固有の位相変化形状の検出を行うものである。
【００３０】
セグメント周期ＰＬＬ回路２５は、ウォブルＰＬＬ回路２２内のＶＣＯ２９から出力されたウォブル逓倍信号を分周してセグメント周期ＰＬＬクロックを生成する分周器３１と、分周器３１の出力とシンクパターンの検出タイミング信号との位相を比較する位相比較器３２と、位相比較器３２の位相差信号のループ補償を行って分周器３１の分周比制御信号を生成するループ補償回路３３とを備えている。
【００３１】
同期化回路２６は、ウォブルＰＬＬ回路２２のウォブルＰＬＬクロックにセグメント周期ＰＬＬ回路のセグメント周期ＰＬＬクロックを同期化させるものである。
【００３２】
本実施形態は、次世代光ディスク規格の書き換え型ディスクを対象とするものである。そこで、この次世代光ディスク規格の書き換え型ディスクにおける物理アドレスコーディングについて説明する。
【００３３】
次世代光ディスク規格の書き換え型ディスクでは、プリグルーブのウォブルに位相変調を掛けることで物理アドレスのコーディングを実現している。位相変調の方式は、ウォブル波長の４倍周期をコーディング変調符号のビットクロックとし、無変調部分（ＮＰＷ）”０”に対して符号”１”に相当する部分をウォブル位相を１８０度反転（ＩＰＷ）させて変調している。
【００３４】
図３は次世代光ディスク規格の書き換え型ディスクのウォブルアドレスコーディングの符号構成を示している。
【００３５】
ウォブルによるアドレスコーディングは物理セグメント単位で完結した並びになっている。１つの物理セグメントはＷＤＵ(Wobble Data Unit)という単位で構成される。ＷＤＵのうち先頭のＷＤＵがシンクパターン（Sync）、それより後の１３個のＷＤＵがアドレスフィールド（Address field）、残り３個のＷＤＵが無変調のユニティーフィールド（Unity field）である。
【００３６】
シンクパターンは前の物理セグメントの”０”が終わった後、６波（６Ｔ）の”１”、４波（４Ｔ）の”０”、６波（６Ｔ）の”１”、６８波の”０”となるものである。６波の”１”というパターンはシンクパターン以外の領域には出現しないユニークパターンである。したがって、シンクパターンはパターンの形で特定することが可能である。
【００３７】
シンクパターン（Sync）を含むＷＤＵの後には、１３個のＷＤＵからなるアドレスフィールドが続いている。アドレスフィールドでは、スタートビットを含むアドレス変調符号を１つの符号あたり４波長を使って符号の”０”と”１”を表している。
この物理セグメント単位で１回の物理アドレスを持っており、続く物理セグメントでは新しくインクリメントされたアドレスデータとなる。
【００３８】
このアドレスフィールドのアドレスデータを読むためには、ウォブルＰＬＬクロックの周期を基準としてシンクパターンを検出し、シンクの次から始まるアドレスフィールドの先頭から順にデータを読み取って行く。
【００３９】
次に、この実施形態の光ディスク装置におけるセグメント周期ＰＬＬクロックの生成の動作を説明する。
【００４０】
光ディスクＤから読み出され、プリアンプ１３にて増幅された、光検出器８（４分割フォトディテクタ）の個々の出力は、プッシュプル信号生成回路２１により、プリグルーブの蛇行を表すウォブル信号を含むプッシュプル信号となってウォブルＰＬＬ回路２２とウォブル位相検波回路２３とに与えられる。
【００４１】
ウォブルＰＬＬ回路２２では、前述したように、ウォブル信号の周波数に対応したウォブルＰＬＬクロックが生成される。
【００４２】
ウォブル位相検波回路２３は、入力されたウォブル信号と、ウォブルＰＬＬ回路２２にて生成されたウォブルＰＬＬクロックとのウォブルＰＬＬクロック１波長ごとの位相相関値を算出して、シンクパターン検出回路２４に出力する。
【００４３】
シンクパターン検出回路２４は、ウォブル位相検波回路２３の検波結果から上記のシンクパターン固有の位相変化形状を検出し、検出したタイミング信号をセグメント周期ＰＬＬ回路２５内の位相比較器３２に与える。なお、先の位相検波結果が曖昧さを持っているので、このシンクパターン検出でも正しい検出結果が得られる保証はない。
【００４４】
セグメント周期ＰＬＬ回路２５では、シンクパターン検出信号とセグメント周期ＰＬＬクロックとの位相が位相比較器３２にて比較され、その比較結果はループ補償回路３３を経て、分周比制御信号となって分周器３１に与えられる。ここで、シンクパターンに対してセグメント周期ＰＬＬクロックの位相が遅れている場合には、分周器３１の分周比を小さくしていく方向に制御が行われる。
【００４５】
分周器３１は、ウォブル逓倍信号を分周してセグメント周期ＰＬＬクロックとして同期化回路２６に供給する。同期化回路２６は、分周器３１からのセグメント周期ＰＬＬクロックをウォブルＰＬＬ回路２２からのウォブルＰＬＬクロックに同期化させて最終的なセグメント周期ＰＬＬクロック（ウォブルＰＬＬクロックドセグメント周期ＰＬＬクロック）を生成し、これをＲＦ信号処理部１４などに供給する。
【００４６】
さらに、このウォブルＰＬＬクロックドセグメント周期ＰＬＬクロックは、シンクパターン検出回路２４に戻される。シンクパターン検出回路２４は、このウォブルＰＬＬクロックドセグメント周期ＰＬＬクロックを窓として、窓内に検出されたシンクパターンのみを有効とするといった検出保護を行う。
【００４７】
この実施形態において、セグメント周期ＰＬＬクロックのソースはウォブルＰＬＬクロックを分周したものであって、ディスク規格上セグメント周期はウォブルクロック周期の固定整数倍の関係にあるので、入力ウォブル信号が正常であれば、分周器３１の分周比は一定であり、セグメント周期ＰＬＬクロックの位相が揺れることはない。ところが、実際には、ディスクのディフェクトや伝達系の雑音等の外乱によりウォブルＰＬＬクロックが時よりスリップしたり、シンクパターンの検出タイミングが前後にずれることがあるため、これに追従してセグメント周期ＰＬＬクロックの位相が揺れるおそれがある。
【００４８】
この点に関して、本実施形態では、ウォブル逓倍信号を分周器３１で分周してブロック周期ＰＬＬクロックとして出力し、その際、シンクパターンの検出信号とブロック周期ＰＬＬクロックとの位相差に基づいて分周器３１の分周比を制御して、ブロック周期ＰＬＬクロックの位相を調整するので、ウォブルＰＬＬクロックの周期より細かい単位でブロック周期ＰＬＬクロックの位相が調整され、結果として、外乱に対しブロック周期ＰＬＬクロックの位相が大きく揺れて同期外れが生じることを回避できる。
【００４９】
また、外乱の程度が小さければセグメント周期ＰＬＬクロックの位相の揺れはウォブル１クロックよりも小さくて済む。したがって、セグメント周期ＰＬＬクロックをウォブルＰＬＬクロックで同期化すれば、ウォブル１クロックの幅より小さい揺れは除去され、ウォブルＰＬＬクロックに同期した安定な位相のセグメント周期ＰＬＬクロックが得られる。
【００５０】
たとえば、セグメント周期ＰＬＬクロックとシンクパターン検出結果との位相比較において、ウォブルＰＬＬクロック１周期分の位相差を検出したときに、分周器３１に与えられる操作量の１セグメント後の積分値が、ウォブルＰＬＬクロック１周期よりも充分小さい値となるように設定すれば、１回のシンクパターン検出のビットスリップが、ウォブルＰＬＬクロックドセグメント周期ＰＬＬクロックの位相に変動を来たすことがない。
【００５１】
次に、本発明の第２の実施形態を説明する。
【００５２】
図４は、この第２の実施形態のウォブルＰＬＬ・セグメント周期検出回路１５１の構成を示す図である。
【００５３】
このウォブルＰＬＬ・セグメント周期検出回路１５１は、セグメント周期ＰＬＬ回路１２５において、セグメント周期周波数をＶＣＯ１３１によって発生させるものである。ＶＣＯ１３１は、セグメント周期ＰＬＬ回路１２５内の、ループ補償回路３３を通して得られる位相比較器３２の位相比較結果を制御入力として、発振周波数の制御が行われる。
【００５４】
この構成は、セグメント周波数がウォブル信号の周波数を基準として作られるものではなく、独立した発振器（ＶＣＯ１３１）により発生されるため、ウォブル周波数による線速度の変化がセグメント周期ＰＬＬクロックの位相にフィートフォワードされないが、大きな線速変動を伴わない光ディスク装置の場合にはこの構成でも運用可能である。
【００５５】
次に、本発明の第３の実施形態を説明する。
【００５６】
図５に、この第３の実施形態のウォブルＰＬＬ・セグメント周期検出回路２５１の構成を示す。
【００５７】
このウォブルＰＬＬ・セグメント周期検出回路２５１は、ウォブルＰＬＬ回路２２により生成されたウォブルＰＬＬクロックを逓倍回路２３０にて逓倍したものを、セグメント周期ＰＬＬ回路２２５内の分周器２３１に供給するようにしたものである。本来のウォブル周波数相当のＰＬＬクロックしか無い場合は、このように逓倍でウォブル信号の周波数よりも高い周波数を生成して、セグメント周期ＰＬＬ回路２２５の分周器２３１に供給するようにしてもよい。
【００５８】
以上、プリグルーブのウォブリングによりウォブルＰＬＬクロックを再生する場合について説明したが、本発明は、ディスクに対する記録再生信号列の単位が固定長のブロックであるものに適用できる。固定長のブロックとしては、上記のセグメントの他に、ＤＶＤ−ＲＡＭなどのセクタがある。
【００５９】
また、本発明は、ブロックの先頭にブロックの開始位置を示す情報が存在する場合に適用できる。このブロック開始位置の情報には、たとえば、上記のウォブルコーディングによるシンクパターンのほか、ピックアップ再生信号の和信号を入力としたレベル判定検出によって検出されるヘッダーなどがある。
【図面の簡単な説明】
【００６０】
【図１】本発明の一実施形態にかかる光ディスク装置の全体の構成を図である。
【図２】図１のウォブルＰＬＬ・セグメント周期検出回路の構成を示す図である。
【図３】次世代光ディスク規格の書き換え型ディスクのウォブルアドレスコーディングの符号構成を示す図である。
【図４】第２の実施形態のウォブルＰＬＬ・セグメント周期検出回路の構成を示す図である。
【図５】第３の実施形態のウォブルＰＬＬ・セグメント周期検出回路の構成を示す図である。
【符号の説明】
【００６１】
１５…ウォブルＰＬＬ・セグメント周期検出回路、２１…プッシュプル信号生成回路、２２…ウォブルＰＬＬ回路、２３…ウォブル位相検波回路、２４…シンクパターン検出回路、２５…セグメント周期ＰＬＬ回路、２６…同期化回路、２７…位相比較器、２８…ループ補償回路、３０…分周器、３１…分周器、３２…位相比較器、３３…ループ補償回路、１００…光ディスク装置
【図１】
2005216403.tif 000003
【図２】
2005216403.tif 000004
【図３】
2005216403.tif 000005
【図４】
2005216403.tif 000006
【図５】
2005216403.tif 000007